(57)【特許請求の範囲】
【請求項１】
建物開口部の４辺に沿って設けられ、一対の縦枠と上横枠と下横枠とを枠状に組み合わせることにより形成される枠体、前記枠体内に配置され引戸式に開閉可能とされる障子、及び前記枠体内のうち前記開閉可能とされる障子より室外側に配置される固定障子を備え、
前記下横枠は、前記開閉可能とされる障子が配置される部位よりも前記固定障子が配置される部位の方が低くなるように形成され、
前記固定障子が配置される部位の前記下横枠上面と、前記固定障子の下横框の下端面との間には、前記固定障子の下横框の下端面よりも下方で室内外に貫通する流路を形成する排水部材を備え、
前記排水部材は、前記下横枠の長さ方向に沿って配置される少なくとも１つの突起を形成する凸部材であり、
前記固定障子の下横框の下端面が前記凸部材の上に乗せられて前記下横枠に固定されることにより、前記固定障子の下横框と前記下横枠とが接触せず、
前記固定障子の下横框の室内側と前記開閉可能とされる障子との間に前記流路に接続する間隙が形成される、
開口部装置。
【請求項２】
前記固定障子の下端面には下方に開口する凹部が設けられ、該凹部内に前記排水部材の上端が挿入されることを特徴とする請求項１に記載の開口部装置。
【発明の詳細な説明】
【技術分野】
【０００１】
本発明は、固定障子を有する開口部装置に関し、詳しくは簡易に排水構造を得ることができる固定障子を有する開口部装置に関する。
【背景技術】
【０００２】
住宅等の建物開口部に配置される引戸式の開口部装置において、例えば室外側に配置される外引き違い障子（以下「外障子」と記載することがある。）をスライドできないように固定障子とし、室内側に配置される内引き違い障子（以下「内障子」と記載することがある。）を引戸式に移動させることができる可動障子とするものが知られている。
【０００３】
従来において、このように固定障子を備える開口部装置であっても、当該固定障子の下横枠への取り付けは可動障子と同様、下横枠の長手方向に沿って立設されたレールに固定障子の横框を差し込む等しておこなっていた。しかし、このような場合には立設されたレールの室内側に水が溜まったとき、これを何らかの方法により排出する必要がある。
【０００４】
このため従来では所定の間隔でレールの厚さ方向に貫通する孔を開ける対策がとられてきた。また、このような下横枠の排水手段として特許文献１のような構成も開示されている。これによれば、下横枠の上面に下方へ貫通する孔を設けてこれを介して室外に水を排出する。
【特許文献１】特開２００３−１７６６７３号公報
【発明の開示】
【発明が解決しようとする課題】
【０００５】
しかしながら、従来におけるレールに孔を設ける方法、及び特許文献１に記載されたように下横枠の上面に孔を設ける方法のいずれの方法であっても、下枠自体に孔を開ける必要があり、加工、生産性の観点から改善することが望まれていた。
【０００６】
そこで本発明は、かかる問題に鑑み、固定障子の下枠の取り付けに際して簡易に排水通路を確保することができる開口部装置を提供することを課題とする。
【課題を解決するための手段】
【０００７】
以下、本発明について説明する。なお、本発明の理解を容易にするために添付図面の参照符号を括弧書きにて付記するが、それにより本発明が図示の形態に限定されるものではない。
【０００８】
請求項１に記載の発明は、建物開口部の４辺に沿って設けられ、一対の縦枠（３、４）と上横枠（５）と下横枠（６）とを枠状に組み合わせることにより形成される枠体（２）、枠体内に配置され引戸式に開閉可能とされる障子、及び枠体内のうち開閉可能とされる障子より室外側に配置される固定障子（１０）を備え、下横枠は、開閉可能とされる障子が配置される部位よりも固定障子が配置される部位の方が低くなるように形成され、固定障子が配置される部位の下横枠上面と、固定障子の下横框（１５）の下端面との間には、固定障子の下横框の下端面よりも下方で室内外に貫通する流路を形成する排水部材（３０）を備え、排水部材は、下横枠の長さ方向に沿って配置される少なくとも１つの突起を形成する凸部材であり、固定障子の下端面が凸部材の上に乗せられて下横枠に固定されることにより、固定障子の下横框と下横枠とが接触せず、固定障子の下横框の室内側と開閉可能とされる障子との間に流路に接続する間隙が形成される開口部装置を提供することにより前記課題を解決する。
【００１０】
請求項２に記載の発明は、請求項１に記載の開口部装置（１）における固定障子（１０）の下端面には下方に開口する凹部（１５ａ）が設けられ、該凹部内に凸部材（３０）の上端が挿入されることを特徴とする。
【００１１】
ここで固定障子の下端面に設けられる「凹部」は、固定障子の下端面に沿って設けられる溝状であってもよく、凸部材が配置される位置に合わせて、当該位置のみに設けられる孔状であってもよい。
【発明の効果】
【００１２】
本発明によれば、下横枠の上面と固定障子の下端面との間に排水部材を取り付けるのみで排水通路を形成することができる。これにより下横枠には孔等を設ける必要がないので加工の手間が省くことが可能であり、生産性も向上させることができる。
【００１３】
また、固定障子の下端面に下方に開口させて凹部を設け、これに凸部材の上端を挿入するように構成した場合にはさらに固定障子の枠体への取り付け安定性を向上させることが可能である。
【００１４】
本発明のこのような作用及び利得は、次に説明する発明を実施するための最良の形態から明らかにされる。
【発明を実施するための最良の形態】
【００１５】
以下本発明を図面に示す実施形態に基づき説明する。ただし本発明は当該実施形態に限定されるものではない。
【００１６】
図１は第一実施形態に係る本発明の開口部装置１を模式的に示した室外視正面図である。図２は開口部装置１の水平断面図、図３は同垂直断面図である。図２では紙面上が室内側、紙面下が室外側である。図３では紙面左が室外側、紙面右が室内側である。以下、図１〜図３及び適宜示す図を参照しつつ開口部装置１について説明する。
【００１７】
開口部装置１は、建物開口部の４辺の縁に沿って備えられる枠体２と、該枠体２の内側に配置される固定障子である外障子１０と、枠体２の内側に配置される可動障子である内障子２０とを備えている。
【００１８】
枠体２は、建物開口部の４辺に沿って設けられる長尺の型材である縦枠３、４、上横枠５、及び下横枠６が枠状に組み合わされて形成されている。縦枠３、４の断面形状は図２に、上横枠５、下横枠６の断面形状は図３に表されている。また、図４には、図３のうち下部に配置される下横枠６に注目し、さらに外障子１０及び内障子２０を分離した図を示した。
【００１９】
縦枠３は図２からわかるように、室外側の角部が切り欠かかれた矩形の中空断面を有して鉛直方向（紙面奥／手前方向）に延在する。当該切り欠かれた部分に外障子１０の端部が取り付けられる。また、縦枠３は、その他中空である内側に配置されるしきり片３ａや建物への取り付けのために見付方向外側に延在する取付片３ｂ等を備えている。縦枠４は、見付方向内側に開口するコ字状の断面を有して鉛直方向（紙面奥／手前方向）に延在する。当該コ字状である断面の開口から内障子２０の戸先側端部を受け入れるように構成されている。また、縦枠４には見付方向外側に延在する取付片４ａが設けられ、これにより縦枠４を建物に取り付ける。
【００２０】
上横枠５は建物開口部上縁に沿って配置される枠材で、その断面は図３からわかるように複数の片が組み合わされて所定の形状とされている。当該上横枠５には外障子１０及び内障子２０の上端が取り付けられる。特に、上横枠５は見付方向内側（紙面下方）に延在するガイド５ａが設けられ、内障子２０が枠体２内を移動する際に該内障子２０の上端をガイドする。また、上横枠５は見付方向外に延在する片５ｂが設けられ、これにより上横枠５が建物に固定される。
【００２１】
下横枠６は建物開口部下縁に沿って配置される枠材で、その断面は図３及び図４からわかるように複数の片が組み合わされて所定の形状とされている。下横枠６は室外側に配置される室外側下横枠７及び該室外側下横枠７より室内側に配置される室内側下横枠８が連結されるように形成されている。室内側下横枠８には内障子２０の車輪２６を受けてガイドするレール８ａが設けられている。
【００２２】
また、室外側下横枠７の上面７ａは室内側下横枠８の上端に表れるいずれの面よりも低く形成されている。そして該上面７ａは室内側から室外側へ向けて（紙面右から左へ向けて）全体として下がるように構成されている。これにより上面７ａには水が溜まることなく室外側へ該水を排出することができる。そして下横枠６も建物への取り付けのために見付方向外側に延在する取付片７ｂ等を備えている。
【００２３】
さらに室外側下横枠７の上面７ａには、排水部材としての複数の凸部材３０、３０…が取り付けられている。図５には１つの凸部材３０の斜視図、図６には凸部材３０、３０が室外側下横枠７に取り付けられた場面における下横枠６端部近傍の平面図を示した。図３〜図６からわかるように凸部材３０、３０、…は、幅広のベース３１と該ベース３１の上面から突出する幅が狭い突起３２とを備えた凸状断面を具備して所定の長さを有する部材である。そして当該凸部材３０が室外側下横枠７の上面７ａに該室外側下横枠７の長手方向に沿って所定の間隔で並べられている。凸部材３０、３０、…の室外側下横枠７への取り付けは凸部材３０の長手方向略中央に上下に貫通する孔３３を介してねじ留めされることにより行われる。凸部材３０、３０、…の長さ及び配置されるピッチは特に限定されるものではないが、排水性向上や部品点数を減らす観点からできるだけ短く、大きいピッチであることが望ましい。例えば該長さを３０〜１００ｍｍ、ピッチを５００〜７００ｍｍとすることを挙げることができる。ただし、後述するように、外障子１０を保持する観点からの所定の強度を確保することは必要とされる。
【００２４】
図１〜図４に戻り開口部装置１の他の構成について説明する。外障子１０は、ガラスにより形成された面材であるガラスパネル１１、戸先框１２、外召し合わせ框１３、上横框１４、下横框１５を備えている。本実施形態のガラスパネル１１は複層ガラスであり２枚の平行に配置されたガラス面材が備えられている。
【００２５】
戸先框１２はガラスパネル１１の４辺のうち戸先側に配置される辺に沿って具備される縦框であり、図２に示したような所定の断面を有して長手方向（図２の紙面奥／手前方向）に延在する。また、外召し合わせ框１３は、ガラスパネル１１の縦縁の１つに沿って設けられ、召し合わせ部分となる縦框であり、やはり図２に示したような所定の断面を有して長手方向（図２の紙面奥／手前方向）に延在する。
【００２６】
上横框１４はガラスパネル１１の上縁に沿って配置される框、下横框１５はガラスパネル１１の下縁に沿って配置される框である。上横框１４、及び下横框１５も図３に示した所定の断面を有して長手方向（図３の紙面奥／手前方向）に延在する。ここで、下横框１５の下端には、図４からわかるように凹部１５ａが形成されている。凹部１５ａは下方に開口した凹状の部位であり、該凹部１５ａの幅（図４における紙面左右方向大きさ）は上記した凸部材３０の突起３２の幅と略同一である。また、凹部１５ａの深さ（図４における紙面上下方向大きさ）は、凸部材３０の突起３２の高さより大きく形成されている。
【００２７】
内障子２０は、ガラスパネル２１、戸先框２２、内召し合わせ框２３、上横框２４、及び下横框２５を有している。ここで内障子２０は枠体２の内側を見付方向に引戸式に移動させることができるいわゆる引戸である。ガラスパネル２１は、図２、図３に表れているように、複層ガラスであり２枚の平行に配置されたガラス面材が備えられている。戸先框２２はガラスパネル２１の戸先側縁に沿って配置される長尺部材で、図２に示した断面を有している。内召し合わせ框２３は、ガラスパネル２１の戸先と対向する縦縁に沿って設けられ、召し合わせ部分となる縦框である。上横框２４、及び下横框２５はガラスパネル２１の上下縁のそれぞれに沿って配置される長尺の型材である。ここで、上横框２４は上方に開口した凹部２４ａを備え、下横框２５は凹部２５ａ及び該凹部２５ａの内側に配置される車輪２６を具備している。これにより、後述するように内障子２０は引戸式の可動障子として、スライド可能に枠体２内側を移動することができる。
【００２８】
また、開口部装置１には図２に示したようにストッパー９が設けられてもよい。ストッパー９は、移動可能である内障子２０の移動を制限する部材で、下横枠６うち内障子２０が移動する軌道上に配置された部材である。これにより内障子２０が移動しすぎないように制限することができる。
【００２９】
さらに開口部装置１には通常の開口部装置に備えられる部材を備えてもよい。これには例えば施錠装置や網戸を挙げることができる。また、上記した縦枠３、４、上横枠５、下横枠６、戸先框１２、２２、外召し合わせ框１３、内召し合わせ框２３、上横框１４、２４、下横框１５、２５の断面形状は本実施形態に限定されるものではなく、本発明の効果を奏する範囲で変更することが可能である。
【００３０】
以上のような各構成は例えば次のよう組み合わされて開口部装置１とされる。すなわち外障子１０の戸先框１２は縦枠３に取り付けられる（図２参照）。上横框１４は上横枠５に、下横框１５は下横枠６にそれぞれ固定される。このとき、下横框１５は、該下横框１５の凹部１５ａの内側に下横枠６に設置された凸部材３０の突起３２を差し込むようにして取り付けられる。これにより、図３からわかるように、凹部１５ａの開口を形成する側壁の端面が凸部材３０のベース３１の上面に乗せられるように配置されて安定する。当該配置により下横框１５と下横枠６とは直接に接することなく安定して固定される。
【００３１】
図７は開口部装置１の凸部材３０が設けられていない部分の垂直断面のうち下横枠６及び下横框１５の周辺に注目した図である。このように上記外障子１０と下横枠６との固定により、図７にＡで示した矢印のような排水通路を確保することができる。従って外障子１０の室内側に侵入した水は当該排水通路を介して室外に排出される。
【００３２】
このように本発明の開口部装置１は、凸部材３０を取り付けるのみでよく、下横枠に孔等を設ける必要がないので加工の観点、及び生産上の観点から有利な効果を奏するものとなる。
【００３３】
内障子２０の枠体２への取り付けは、図３からわかるように上横框２４の凹部２４ａの内側に上横枠５のガイド５ａに挿入する。そして下横框２５の車輪２６を下横枠６のレール８ａに乗せるように配置する。これにより内障子２０は枠体２内を引戸式に移動することができるようになる。
【００３４】
図８は開口部装置１の変形例を示す開口部装置１’を説明するための図である。図８は上記した図４に相当する図である。また、開口部装置１’の各構成は以下に説明する凸部材３０’以外は開口部装置１と同じなので、符号も共通とし、説明を省略する。
【００３５】
開口部装置１’に備えられる凸部材３０’は、凸部材３０と異なり、断面形状が凸状でなく矩形である。このような凸部材３０’であっても該凸部材３０’の高さ（図８の紙面上下方向大きさ）を下横框１５の凹部１５ａの深さ（図８の紙面上下方向大きさ）より大きく形成すれば、上記した排水通路を適切に形成することが可能である。具体的には、凸部材３０’を図８に破線で示したように凹部１５ａに挿入する。これにより凸部材３０’の上面と凹部１５ａの底面とが接触して安定し、外障子１０が下横枠６に固定されるとともに、下横框１５の下端面は下横枠６の上面に直接接触することなく排水通路を確保することが可能となる。
【００３６】
図９には他の変形例にかかる本発明の開口部装置のうち排水部材３０’’を示した。他の構成は上記した説明に共通するので、ここでは説明を省略する。排水部材３０’’は、凸部材３０’についてさらに室内外方向に貫通するスリット３２’’、３２’’、…を備えている。これによりさらに排水性を向上させることが可能となる。また、排水部材３０’’であれば、下横枠６の上面に沿って全長に亘って配置しても適切に排水通路を確保することが可能である。排水部材３０’’によれば、排水通路を確保することができるとともに、外障子１０の取り付け強度を向上させることができる。
【００３７】
本発明は固定障子を有する開口部装置であれば適用することができ、実施形態で示したような可動障子を必ずしも備えている必要はない。例えば図１０には第二実施形態にかかる開口部装置５１の縦断面を示した。当該開口部装置５１は開口部装置１に備えられていた内障子２０を備えておらず、固定障子６０のみが障子として配置されている。かかる場合であっても開口部装置１と同様に上横框６４が上横枠５５に固定されるとともに下横框６５が下横枠５６に凸部材８０を介して固定される。従って上記した説明と同様に適切に排水通路を確保することができる。
【００３８】
また、各実施形態において用いられたガラスパネルは必ずしも複層ガラスである必要はなく、単層ガラスであってもよい。
【００３９】
以上、現時点においてもっとも実践的であり、かつ好ましいと思われる実施形態に関連して本発明を説明したが、本発明は、本願明細書中に開示された実施形態に限定されるものではなく、請求の範囲及び明細書全体から読み取れる発明の要旨或いは思想に反しない範囲で適宜変更可能であり、そのような変更を伴う開口部装置もまた本発明の技術的範囲に包含されるものとして理解されなければならない。
【図面の簡単な説明】
【００４０】
【図１】第一実施形態にかかる本発明の開口部装置の室外視正面図である。
【図２】開口部装置の水平断面図である。
【図３】開口部装置の垂直断面図である。
【図４】開口部装置の垂直断面図のうち下部に備えられる横枠、及び横框周辺に注目し、これらを分離して示した図である。
【図５】凸部材の斜視図である。
【図６】凸部材が下横枠に配置される態様を説明する図である。
【図７】排水通路を説明するための図である。
【図８】変形例を説明する図である。
【図９】他の変形例にかかる排水部材の斜視図である。
【図１０】第二実施形態にかかる本発明の開口部装置を説明するための図である。
【符号の説明】
【００４１】
１  開口部装置
２  枠体
３  縦枠
４  縦枠
５  上横枠
６  下横枠
１０  外障子（固定障子）
１１  ガラスパネル
１２  戸先框
１３  召し合わせ框
１４  上横框
１５  下横框
１５ａ  凹部
２０  内障子
２１  ガラスパネル
２２  戸先框
２３  召し合わせ框
２４  上横框
２５  下横框
２６  車輪
３０  凸部材（排水部材）
３０’  凸部材（排水部材）
３０’’  排水部材
５１  開口部装置
５５  上横枠
５６  下横枠
６０  固定障子
６４  上横框
６５  下横框
８０  凸部材（排水部材）
【図１】
0005420158.tif 000002
【図２】
0005420158.tif 000003
【図３】
0005420158.tif 000004
【図４】
0005420158.tif 000005
【図５】
0005420158.tif 000006
【図６】
0005420158.tif 000007
【図７】
0005420158.tif 000008
【図８】
0005420158.tif 000009
【図９】
0005420158.tif 000010
【図１０】
0005420158.tif 000011